(57)【要約】【課題】本発明は、映像と音像の定位位置とが一致するよう音声を再生する音声再生装置及び係る音声再生装置を備えた表示装置を提供する。【解決手段】左チャンネル入力端子４Ｌ及び右チャンネル入力端子４Ｒに入力された左右チャンネル夫々の音声信号からＨＰＦ７Ｌ，７Ｒによりカットオフ周波数以上の高域成分が抽出され、増幅部８Ｌ，８Ｒにより増幅されて左上部スピーカ３Ｌ及び右上部スピーカ３Ｒ夫々から再生される。左右チャンネル夫々の音声信号が遅延部５Ｌ，５Ｒにより所定時間遅延され、増幅部６Ｌ，６Ｒにより増幅されて左下部スピーカ２Ｌ及び右下部スピーカ２Ｒ夫々から再生される。左上部スピーカ３Ｌ及び右上部スピーカ３Ｒから再生される高域成分は、左下部スピーカ２Ｌ及び右下部スピーカ２Ｒから再生される音声の先行音となり、先行音効果により音像の定位位置が表示部の縦方向上側に移動する。【選択図】図２
2010028583.tif 000002
【特許請求の範囲】
【請求項１】
上下に配置した左右チャンネル夫々用の上部スピーカ及び下部スピーカに音声を再生させる音声再生装置において、
所定周波数以上の高域成分の音声を前記上部スピーカに再生させる第１再生手段と、
所定時間遅延させた音声を前記下部スピーカに再生させる第２再生手段と
を備えることを特徴とする音声再生装置。
【請求項２】
前記第１再生手段及び前記第２再生手段は、前記音声を増幅する増幅部を備えることを特徴とする請求項１に記載の音声再生装置。
【請求項３】
前記所定時間の変更を受付ける時間変更受付手段を備えることを特徴とする請求項１又は請求項２に記載の音声再生装置。
【請求項４】
前記所定周波数の変更を受付ける周波数変更受付手段を備えることを特徴とする請求項１から請求項３までのいずれか一項に記載の音声再生装置。
【請求項５】
請求項１から請求項４までのいずれか一項に記載の音声再生装置と、
映像を表示する表示部と、
該表示部の上下に配置してあり、左右チャンネル夫々用の上部スピーカ及び下部スピーカと
を備えることを特徴とする表示装置。
【請求項６】
前記上部スピーカは、所定周波数以上の再生周波数帯域を有することを特徴とする請求項５に記載の表示装置。
【発明の詳細な説明】
【技術分野】
【０００１】
本発明は、装置の横幅を広げることなく映像と音像の定位位置とが一致するよう音声を再生することが可能となる音声再生装置及び係る音声再生装置を備えた表示装置に関する。
【背景技術】
【０００２】
映像を表示する表示部及び音声を再生するスピーカを備え、映像の表示と共に音声を再生するテレビジョン受像機等の表示装置が広く使われている。これらの表示装置は、ステレオ音声を再生するために少なくとも左右２チャンネル夫々のスピーカを備えている。左右チャンネル夫々のスピーカは、表示部の表示画面に対面する視聴者の左右方向にステレオ音声を再生するよう配置する必要がある。この左右チャンネル夫々のスピーカを表示部の左右に設けた場合、表示装置の横幅が広くなり設置面積が増大する。また、左右２チャンネル夫々のスピーカが再生する音声から合成された音像は、スピーカ夫々の中心を結ぶ線よりも表示画面の縦方向上側に定位することが知られている。
【０００３】
そこで、表示部の下側に左右チャンネル夫々のスピーカを設けて、設置面積の減少を図ると共に音像の定位位置を可能な限り表示部が表示する表示画面の略中央となるよう構成された表示装置が主流となっている。しかし近年、表示装置の表示部に用いられる液晶パネル等のＦＰＤ( Flat Panel Display )の表示画面が顕著に大面積化しており、この表示画面の大面積化に伴って、聴取位置を視点として音像の定位位置と表示画面の中央位置とがなす見開き角度が増大している。この見開き角度の増大により、視聴者は音像の定位位置が映像と一致しておらず不自然な印象を感じる。よって、音像の定位位置を調整可能にする表示装置が必要とされている。
【０００４】
ここで、同一の音声を複数の音源から再生し、音源夫々から聴取者に到達する各音声に小さな時間差がある場合、先行して到達した音声の音源方向に音像が定位する先行音効果（ハース効果）が知られている。特許文献１に記載の表示装置は、表示部の上辺又は下辺中央に配置された中央スピーカから音声を再生すると共に、係る音声から音像の定位に影響する高域成分の音声を抽出し、所定時間遅延させて表示画面の横方向左右に配置してある左右チャンネル夫々のスピーカから再生する。これにより、中央スピーカから出力される音声のうち、高域成分の音声が左右チャンネル夫々のスピーカから出力される音声の先行音となり、先行音効果により表示画面の横方向に音像の定位位置を調整可能にしている。
【０００５】
特許文献２に記載の音声再生装置は、中央スピーカが再生する音声に対する先行音を左右チャンネル夫々のスピーカから再生することにより、中央スピーカが再生する音声による音像の定位位置を左右チャンネル夫々のスピーカ間中央に移動させる。特許文献３に記載の映像音声再生装置は、左右チャンネル及び中央チャンネルからなる２．１チャンネルの音声信号に対し、中高域成分との相関を低下させた中低域成分をサブウーファから再生すると共に、複数の小型サテライトスピーカを含む左右チャンネル夫々のスピーカから中高域成分を中低域成分の先行音として再生することにより、小型サテライトスピーカの配置位置に基づいて音像の定位位置を調整可能にしている。
【特許文献１】特許第３５１９４２０号
【特許文献２】特開２０００−５９８９７号公報
【特許文献３】特開２００７−２８８６７７号公報
【非特許文献１】金  兌恩、安倍  幸治、高根  昭一、  佐藤  宗純「正中面上の２音源による音像定位とその先行音効果との関係の検討」、信学技報、社団法人電子情報通信学会、ＥＡ２００７−４６（２００７−０８）、ｐ．１−６
【発明の開示】
【発明が解決しようとする課題】
【０００６】
しかしながら、左右チャンネルの音量差を時間的に変化させて音像の定位位置を左右に移動（パニング）させる音響効果、すなわちパニング効果が視聴者に与えられる音声を特許文献１に記載の表示装置により再生する場合、左右チャンネルスピーカからは音声の高域成分のみが再生されて聴取者に十分なパニング効果を感じさせることができないという問題があった。また、近年、先行音効果が聴取者の対面する表示画面横方向（水平方向）のみならず、表示画面縦方向（鉛直方向）における音像の定位にも影響することが報告されている（非特許文献１参照）。しかし、特許文献１には、横方向についてのみ先行音効果を利用すると記載されており、特許文献１に記載の方法を横方向の定位位置について利用した場合、縦方向の定位位置が変化し調整できないという問題があった。
【０００７】
また、特許文献２に記載の表示装置では、左右チャンネル夫々のスピーカが再生する音声から合成された音像の定位位置を移動させることができないという問題があった。特許文献３に記載の表示装置では、設置面積の減少のために表示部の下側に左右チャンネル夫々のスピーカを配置した場合、配置位置を変更することなく音像の定位位置を移動させることができないという問題があった。
【０００８】
本発明は斯かる事情に鑑みてなされたものであり、装置の横幅を広げることなく音像の定位位置を縦方向に移動させて映像と一致させることを可能にする音声再生装置及び係る音声再生装置を備えた表示装置を提供することを目的とする。
【課題を解決するための手段】
【０００９】
本発明に係る音声再生装置は、上下に配置した左右チャンネル夫々用の上部スピーカ及び下部スピーカに音声を再生させる音声再生装置において、所定周波数以上の高域成分の音声を前記上部スピーカに再生させる第１再生手段と、所定時間遅延させた音声を前記下部スピーカに再生させる第２再生手段とを備えることを特徴とする。
【００１０】
本発明にあっては、高域成分の音声が上部スピーカから再生されると共に、所定時間遅延させた音声が下部スピーカから再生される。これにより、下部スピーカから再生される左右チャンネルのステレオ音声に対して、所定時間先行したステレオ音声の高域成分からなる先行音が上部スピーカから再生される。先行音効果により、下部スピーカが再生する左右チャンネルの音声から合成された音像の定位位置が、上部スピーカが配置される上側に向けて移動する。
【００１１】
本発明に係る音声再生装置は、前記第１再生手段及び前記第２再生手段は、前記音声を増幅する増幅部を備えることを特徴とする。
【００１２】
本発明にあっては、音声に係る音声信号が増幅部により増幅されて上部スピーカ及び下部スピーカ夫々に与えられ、増幅された音声が再生される。
【００１３】
本発明に係る音声再生装置は、前記所定時間の変更を受付ける時間変更受付手段を備えることを特徴とする。
【００１４】
本発明にあっては、所定時間の変更を受付けて下部スピーカから再生される音声の遅延時間が変更される。すなわち、上部スピーカから再生される先行音の先行時間が変更され、音像の定位位置が調整される。
【００１５】
本発明に係る音声再生装置は、前記所定周波数の変更を受付ける周波数変更受付手段を備えることを特徴とする。
【００１６】
本発明にあっては、所定周波数の変更を受付けて上部スピーカから再生される高域成分の周波数が変更され、音像の定位位置が調整される。
【００１７】
本発明に係る表示装置は、前述の音声再生装置と、映像を表示する表示部と、該表示部の上下に配置してあり、左右チャンネル夫々用の上部スピーカ及び下部スピーカとを備えることを特徴とする。
【００１８】
本発明にあっては、表示部の上側左右に配置された左右チャンネル用の上部スピーカから音声の高域成分が再生される。また、音声が所定時間遅延されて表示部の下側左右に配置された左右チャンネル用の下部スピーカから再生される。これにより、左右チャンネル用の下部スピーカから再生されるステレオ音声に対して、所定時間先行したステレオ音声の高域成分からなる先行音が左右チャンネル用の上部スピーカから再生される。下部スピーカが再生するステレオ音声による音像が、先行音効果により、上部スピーカ側、すなわち表示画面の縦方向上側に向かって移動し、表示部の表示画面の略中央に定位する。
【００１９】
本発明に係る表示装置は、前記上部スピーカは、所定周波数以上の再生周波数帯域を有することを特徴とする。
【００２０】
本発明にあっては、表示部の上側左右に配置されており、所定周波数以上の再生周波数帯域を有する高音用の上部スピーカから高域成分の音声が再生される。
【発明の効果】
【００２１】
本発明にあっては、装置の横幅を広げることなく音像の定位位置を縦方向に移動させて映像と一致させることが可能となる。
【発明を実施するための最良の形態】
【００２２】
実施の形態１
以下、本発明をその実施の形態を示す図面を参照して具体的に説明する。図１は、実施の形態１に係る表示装置の外観を示す模式的正面図である。図１に示す表示装置は、長辺が略水平となるよう配置してあり、矩形状の液晶パネル等からなる表示部１と、表示部１の下側に左右に離間して配置してあり、左右チャンネル夫々の音声を再生するための左下部スピーカ２Ｌ及び右下部スピーカ２Ｒを備える。また、表示装置は、表示部１の上側に左右に離間して配置してあり、左右チャンネル夫々の音声を再生するための左上部スピーカ３Ｌ及び右上部スピーカ３Ｒを備える。左上部スピーカ３Ｌ及び右上部スピーカ３Ｒは、所定の周波数以上の再生周波数帯域を有する高域用スピーカからなり、例えば４〜１０ｋＨｚ以上の高域成分の音声を再生可能にするとよい。
【００２３】
左下部スピーカ２Ｌ及び右下部スピーカ２Ｒ夫々は、低音域から高音域までの再生周波数帯域を有する広帯域用スピーカからなる。また、表示装置は、背面に配されており、図示しない映像入力端子及び左右チャンネル夫々の音声信号が入力される音声入力端子を備える。表示装置は、映像入力端子に入力された映像信号に基づいて表示部１に映像を表示すると共に、音声入力端子に入力された音声信号を内蔵する後述の音声再生装置により処理して左下部スピーカ２Ｌ、右下部スピーカ２Ｒ、左上部スピーカ３Ｌ及び右上部スピーカ３Ｒから再生するようにしてある。
【００２４】
図２は、実施の形態１に係る音声再生装置の内部構成を示すブロック図である。音声再生装置は、表示装置の音声入力端子を介して左右チャンネル夫々の音声信号が入力される左チャンネル入力端子４Ｌ及び右チャンネル入力端子４Ｒを備えている。左チャンネル入力端子４Ｌは、入力された左チャンネル音声信号を遅延部５Ｌ及びＨＰＦ（ High Pass Filter ）７Ｌに与えるようにしてある。ＨＰＦ７Ｌは、与えられた左チャンネル音声信号から所定の周波数（以下、カットオフ周波数と呼ぶ）以上の周波数を有する高域成分を抽出するフィルターであり、抽出した高域成分を増幅部８Ｌに与えるようにしてある。ＨＰＦ７Ｌには、例えば１〜４ｋＨｚのカットオフ周波数が予め設定してある。
【００２５】
増幅部８Ｌは、与えられた高域成分を増幅し、左上部スピーカ３Ｌに出力して再生させるようにしてある。これによりＨＰＦ７Ｌ及び増幅部８Ｌは、高域成分の音声を左チャンネル用の左上部スピーカ３Ｌに再生させる第１再生手段として機能する。遅延部５Ｌは、与えられた左チャンネル音声信号を予め設定された所定時間（以下、遅延時間と呼ぶ）遅延させ、遅延音声信号として増幅部６Ｌに与えるようにしてある。遅延部５Ｌには、例えば０．５〜５ｍｓｅｃの遅延時間が予め設定してある。これにより増幅部６Ｌは、与えられた遅延音声信号を増幅し、左下部スピーカ２Ｌに出力して再生させるようにしてある。遅延部５Ｌ及び増幅部６Ｌは、遅延させた音声を左チャンネル用の左下部スピーカ２Ｌに再生させる第２再生手段として機能する。
【００２６】
右チャンネル入力端子４Ｒは、入力された右チャンネル音声信号を遅延部５Ｒ及びＨＰＦ７Ｒに与えるようにしてある。ＨＰＦ７Ｒは、与えられた右チャンネル音声信号から所定のカットオフ周波数以上の周波数を有する高域成分を抽出するフィルターであり、抽出した高域成分を増幅部８Ｒに与えるようにしてある。ＨＰＦ７Ｒには、ＨＰＦ７Ｌと同様に例えば１〜４ｋＨｚのカットオフ周波数が予め設定してある。増幅部８Ｒは、与えられた高域成分を増幅し、右上部スピーカ３Ｒに出力して再生させるようにしてある。これによりＨＰＦ７Ｒ及び増幅部８Ｒは、高域成分の音声を右チャンネル用の右上部スピーカ３Ｒに再生させる第１再生手段として機能する。
【００２７】
遅延部５Ｒは、与えられた右チャンネル音声信号を遅延時間遅延させ、遅延音声信号として増幅部６Ｒに与えるようにしてある。遅延部５Ｒには、増幅部５Ｌと同様に例えば０．５〜５ｍｓｅｃの遅延時間が予め設定してある。増幅部６Ｒは、与えられた遅延音声信号を増幅し、右下部スピーカ２Ｒに出力して再生させるようにしてある。これにより遅延部５Ｒ及び増幅部６Ｒは、遅延させた音声を右チャンネル用の右下部スピーカ２Ｒに再生させる第２再生手段として機能する。
【００２８】
左チャンネル入力端子４Ｌ及び右チャンネル入力端子４Ｒに入力された左右チャンネル夫々の音声信号に基づいて、左上部スピーカ３Ｌ及び右上部スピーカ３Ｒ夫々から高域成分の音声が再生されると共に、左下部スピーカ２Ｌ及び右下部スピーカ２Ｒから遅延された音声が再生される。これにより、左下部スピーカ２Ｌ及び右下部スピーカ２Ｒから再生される音声に対して、高域成分からなり、遅延時間分を先行する先行音が左上部スピーカ３Ｌ及び右上部スピーカ３Ｒから再生される。
【００２９】
図３は、実施の形態１に係る音声再生装置における音像の定位を説明するための説明図である。図３中９ａ及び９ｂは、左下部スピーカ２Ｌ及び右下部スピーカ２Ｒ夫々から略同一の音量を有する左右チャンネル夫々の音声が再生された場合、係る音声から合成された音像が定位する定位範囲の例を示している。図中白抜矢印は、左上部スピーカ３Ｌ及び右上部スピーカ３Ｒから再生される先行音により、音像の定位範囲が移動する方向を示している。図３に示す例では、先行音が再生されていない場合、音像は定位範囲９ａに定位している。先行音が再生された場合、先行音を再生する左上部スピーカ３Ｌ及び右上部スピーカ３Ｒを結ぶ線の垂線方向、すなわち表示部１の縦方向に音像の定位位置が移動し、図３に示す例では、表示部１の表示画面略中央に位置する定位範囲９ｂに定位している。視聴者は、先行音効果により表示画面略中央に移動した音像の定位位置が映像と一致しており、不自然に感じることなく映像音声を視聴することが可能となる。
【００３０】
図４は、実施の形態１に係る音声再生装置における音像の定位を説明するための説明図である。図４中９ｃ及び９ｄは、左下部スピーカ２Ｌが再生する左チャンネルの音声及び右下部スピーカ２Ｒが再生しており、左チャンネル音声よりも大きな音量を有する右チャンネルの音声から合成された音像の定位位置の例を示している。図中白抜矢印は、左上部スピーカ３Ｌ及び右上部スピーカ３Ｒから再生される先行音により、音像の定位位置が移動する方向を示している。次にパニング効果を視聴者に感じさせるために、音量差のある左右チャンネル夫々の音声が再生される場合の音像の定位について説明する。
【００３１】
図４中９ｃは、先行音が再生されていない状態でパニング効果を与える左右チャンネル夫々の音声が左下部スピーカ２Ｌ及び右下部スピーカ２Ｒから再生された場合、音像が定位する範囲の例を示している。図４に示す例では、左チャンネルの音声よりも大きな音量を有する右チャンネルの音声が再生されており、左下部スピーカ２Ｌ及び右下部スピーカ２Ｒ間の中央よりも右側に位置する定位範囲９ｃに定位している。先行音が再生された場合、表示部１の縦方向に音像の定位位置が移動し、図４に示す例では、表示部１の向かい合う短辺中点夫々を結ぶ線上に位置する定位範囲９ｄに定位している。これにより、先行音効果により定位位置が移動された音像がパニング効果により表示部１の向かい合う短辺中点を結ぶ線上を左右に移動するため、パニング効果による左右の移動量に変化が生じることがなく、視聴者に十分なパニング効果を感じさせることが可能となる。
【００３２】
先行音が先行する時間、すなわち遅延部５Ｌ，５Ｒに設定される遅延時間を長くするほど、一般に音像が表示部１の縦方向に移動する距離が長くなる。しかし、聴取位置等の条件によっては遅延時間を長くすることにより、先行音が左下部スピーカ２Ｌ及び右下部スピーカ２Ｒから再生される音声と時間的に分離していると視聴者が感じて先行音効果が得られない場合がある。また、先行音効果により移動した音像の定位位置は、各スピーカの位置、再生される音声の周波数特性及びスピーカから再生される音声の音圧等の条件により変化する。
【００３３】
したがって、遅延部５Ｌ，５Ｒ及びＨＰＦ７Ｌ，７Ｒ夫々には、表示部１の表示画面の大きさ等によって予測される聴取位置、表示部１及び各スピーカの配置位置等の表示装置の構成及び再生される音声の周波数特性に対して音像が最適な位置に定位するよう実験的に求めた遅延時間及びカットオフ周波数を予め設定しておくとよい。また、遅延部５Ｌ,５Ｒに同一の遅延時間を設定する場合を示したが、これに限るものではなく、夫々異なる遅延時間を設定してもよい。また、ＨＰＦ７Ｌ，７Ｒに同一のカットオフ周波数を設定する場合を示したが、これに限るものではなく、夫々異なるカットオフ周波数を設定してもよい。
【００３４】
実施の形態２
図５は、実施の形態２に係る音声再生装置の内部構成を示すブロック図である。本実施の形態２は、実施の形態１に係る音声再生装置が予め設定された遅延時間及びカットオフ周波数に基づいて音声を再生するのに対し、遅延時間及びカットオフ周波数を調整可能に構成してある。音声再生装置は、実施の形態１のＨＰＦ７Ｌ,７Ｒ及び遅延部５Ｌ,５Ｒ夫々を、カットオフ周波数を可変にしてあるＨＰＦ１１Ｌ，１１Ｒ及び遅延時間を可変にしてある遅延部１０Ｌ，１０Ｒに置き換えてある。左チャンネル入力端子４Ｌは、入力された左チャンネル音声信号を遅延部１０Ｌ，ＨＰＦ１１Ｌ及び周波数特性検出部１５に与えるようにしてある。
【００３５】
また、右チャンネル入力端子４Ｒは、入力された右チャンネル音声信号を遅延部１０Ｒ，ＨＰＦ１１Ｒ及び周波数特性検出部１５に与えるようにしてある。周波数特性検出部１５は、与えられた左チャンネル音声信号及び右チャンネル音声信号の周波数特性を検出し、検出結果を制御部１６に与えるようにしてある。記憶部１７は、カットオフ周波数及び遅延時間の複数組からなるカットオフ周波数及び遅延時間表１７１を記憶してある。カットオフ周波数及び遅延時間表１７１は、ニュース番組及び映画等の複数ジャンルの音声が有する周波数特性夫々に対して音像の定位に適したカットオフ周波数及び遅延時間の組を実験的に予め求め、記憶部１７に記憶しておくとよい。
【００３６】
制御部１６は、ＭＣＵ（Micro Controller Unit ）からなり、周波数特性検出部１５が検出した周波数特性に対応するカットオフ周波数及び遅延時間を記憶部１７に記憶してあるカットオフ周波数及び遅延時間表１７１から読み出して周波数変更受付部１３Ｌ，１３Ｒ及び時間変更受付部１４Ｌ，１４Ｒ夫々に与えるようにしてある。周波数変更受付部１３Ｌ，１３Ｒ夫々は、制御部１６から受付けたカットオフ周波数をＨＰＦ１１Ｌ，１１Ｒに各設定するようにしてある。時間変更受付部１４Ｌ，１４Ｒ夫々は、制御部１６から受付けた遅延時間を遅延部１０Ｌ，１０Ｒに各設定するようにしてある。
【００３７】
ＨＰＦ１１Ｌ，１１Ｒは、左チャンネル入力端子４Ｌ及び右チャンネル入力端子４Ｒから与えられた左チャンネル及び右チャンネル音声信号から、設定されたカットオフ周波数以上の周波数を有する高域成分を抽出して増幅部８Ｌ，８Ｒに与えるようにしてある。遅延部１０Ｌ，１０Ｒ夫々は、左チャンネル入力端子４Ｌ及び右チャンネル入力端子４Ｒから与えられた左チャンネル及び右チャンネル音声信号を設定された遅延時間遅延させて増幅部６Ｌ，６Ｒに与えるようにしてある。選択操作受付部１２は、カットオフ周波数及び遅延時間表１７１のうち、所定のカットオフ周波数及び遅延時間を選択するためのスイッチ等からなり、選択操作を受付けて制御部１６に与えるようにしてある。
【００３８】
左右チャンネル夫々の音声信号の周波数特性に関連付けられたカットオフ周波数及び遅延時間の組が記憶部１７から読み出されて設定されることにより、音像の定位に影響を及ぼす音声信号の周波数特性の変化に係らず、音像が所定の位置に定位される。また、選択操作受付部１２が視聴者により選択操作を受付けた場合、選択されたカットオフ周波数及び遅延時間をカットオフ周波数及び遅延時間表１７１から読み出して設定される。これにより、音像の定位に影響を及ぼす視聴者の視聴位置等に適したカットオフ周波数及び遅延時間が設定されて、音像が所定の位置に定位される。
【００３９】
カットオフ周波数及び遅延時間表１７１は、表示部１の表示画面上の複数の位置夫々に音像が定位するために最適なカットオフ周波数及び遅延時間からなる組を実験的に求めて記憶部１７に予め記憶させてもよい。この場合、映像信号を解析して音声が定位すべき表示部１の表示画面上の位置、例えば音声を発する人物及び物体等の映像が表示される位置を検出して制御部１６に与える映像解析部を表示装置に設け、制御部１６が検出位置に対応するカットオフ周波数及び遅延時間の組を記憶部１７から読み出すように構成するとよい。周波数変更受付部１３Ｌ，１３Ｒ及び時間変更受付部１４Ｌ，１４Ｒ夫々は、電子ボリューム等で構成することにより、視聴者が音像の定位位置が映像と一致していないと感じた場合、カットオフ周波数及び遅延時間を視聴者が調整可能にしてもよい。
【００４０】
本実施の形態２は以上の如き構成としてあり、その他の構成及び作用は実施の形態１と同様であるので対応する部分には同一の符号を付してその詳細な説明を省略する。
【図面の簡単な説明】
【００４１】
【図１】実施の形態１に係る表示装置の外観を示す模式的正面図である。
【図２】実施の形態１に係る音声再生装置の内部構成を示すブロック図である。
【図３】実施の形態１に係る音声再生装置における音像の定位を説明するための説明図である。
【図４】実施の形態１に係る音声再生装置における音像の定位を説明するための説明図である。
【図５】実施の形態２に係る音声再生装置の内部構成を示すブロック図である。
【符号の説明】
【００４２】
１  表示部
２Ｌ  左下部スピーカ
２Ｒ  右下部スピーカ
３Ｌ  左上部スピーカ
３Ｒ  右上部スピーカ
４Ｌ  左チャンネル入力端子
４Ｒ  右チャンネル入力端子
５Ｌ,５Ｒ,１０Ｌ，１０Ｒ  遅延部
６Ｌ，６Ｒ，８Ｌ，８Ｒ  増幅部
７Ｌ，７Ｒ,１１Ｌ，１１Ｒ  ＨＰＦ
９ａ，９ｂ，９ｃ，９ｄ  定位範囲
１２  選択操作受付部
１３Ｌ，１３Ｒ  周波数変更受付部
１４Ｌ，１４Ｒ  時間変更受付部
１５  周波数特性検出部
１６  制御部
１７  記憶部
１７１  カットオフ周波数及び遅延時間表
【図１】
2010028583.tif 000003
【図２】
2010028583.tif 000004
【図３】
2010028583.tif 000005
【図４】
2010028583.tif 000006
【図５】
2010028583.tif 000007